(57)【特許請求の範囲】
【請求項１】
電源切断機能を有するＯＳ（オペレーティングシステム）の上で動作する業務プログラムの終了時に、その業務プログラムが使用するデータのバックアップを取るようにユーザに促すメッセージを表示し、その際、バックアップ処理を実施した後にシステムの電源を切る第１の手順か、または、バックアップ処理を実施した後にＯＳ環境に復帰する第２の手順、のいずれかを少なくとも選択して実施できるようにしたことを特徴とするデータのバックアップ方法。
【請求項２】
電源切断機能を有するＯＳ（オペレーティングシステム）の上で動作する業務プログラムを記録した機械読取り可能な媒体であって、前記業務プログラムは、業務の終了が指示されたことに応じて、データのバックアップを取るようにユーザに促す終了メッセージを表示し、その際、バックアップ処理を実施した後にシステムの電源を切る第１の手順、または、バックアップ処理を実施した後にＯＳ環境に復帰する第２の手順を少なくとも選択できるように終了メッセージを表示し、ユーザの選択入力に応じて、前記第１または第２の手順に従ってコンピュータを制御してデータをバックアップすることを特徴とする機械読取り可能な業務プログラムを記録した媒体。
【発明の詳細な説明】
【０００１】
【発明の属する技術分野】
本発明は、業務プログラムの終了時にデータのバックアップを取る方法に係り、更にバックアップ終了後にシステムの電源を切断する方法に関する。
【０００２】
【従来の技術】
汎用のＯＳ（オペレーティングシステム）を搭載した汎用のＰＣ（パーソナルコンピュータ）を用い、そこにアプリケーションプログラムを導入して業務や処理が行われる。そして、アプリケーションプログラムを入れ替えることで様々な業務に応用することができる。つまり、様々なアプリケーションプログラムを入れ替えられるということは、汎用性があって融通が効くということである。しかし、一方、特定の業務に特化して適応させた大規模なアプリケーションプログラムを導入して利用しようとするときには、ＰＣを始めとした機器全体をその特定業務のために使えるほうが効率がよい。そこで、汎用のＰＣや汎用のＯＳを使いながらも、機器とプログラムとを一体化したいわゆるシステムとして構成し、運用するものが存在する。
【０００３】
このようなシステムにおいては、ＰＣの電源を投入すると自動的に特定業務のアプリケーションプログラムが立ち上るようにしている。そして、その業務を終了してアプリケーションプログラムを終了するということは、即ちシステムの利用を終了するということであり、ＰＣの電源を切断することと同じであった。そこで、従来は、システムの終了に当ってはＯＳの電源切断機能を利用していた。
また、その際に、システムの稼動中に追加や修正された特定業務のデータのバックアップを取るように促すメッセージを表示するようにしていた。そして、ユーザが必要に応じてバックアップを指示することで、バックアップ処理を実施し、その後にシステムの電源が切断されるものである。
【０００４】
【発明が解決しようとする課題】
このような専用システムであっても、特定業務のアプリケーションプログラムを終了してＯＳ環境に復帰したい場合がある。また、そのときにも、それまで追加・修正したデータのバックアップを取りたい場合があった。このように、システムを終了せずに、即ちシステムの電源を切らないでバックアップを取りたいとき、従来は、アプリケーションプログラムのバックアップ業務を別途起動して実行し、意識してバックアップを取る必要があった。
【０００５】
【課題を解決するための手段】
本発明は、電源切断機能を有するＯＳの上で動作する業務プログラムの終了時に、その業務プログラムが使用するデータのバックアップを取るようにユーザに促すメッセージを表示し、その際、バックアップ処理を実施した後にシステムの電源を切る第１の手順か、または、バックアップ処理を実施した後にＯＳ環境に復帰する第２の手順、のいずれかを少なくとも選択して実施できるようにし、上記課題を解決するものである。
【０００６】
【実施例】
図２は、実施例アプリケーションプログラムが終了時に表示するダイアログボックスの一例である。これは、本アプリケーションプログラムを終了するように、即ちシステムが提供する特定の業務を終了しようと、ユーザが指示したことに応じて、業務処理中に追加されたり修正されたデータのバックアップを取るよう、ユーザに促すために表示するダイアログボックスである。図から分るように、実施例では、バックアップを取る取らない、システムの電源を切る切らないの組み合せによって、４つの選択肢を用意している。
【０００７】
即ち、バックアップを取った後にシステムの電源を切る第１の選択肢と、バックアップを取った後にアプリケーションプログラムを終了してＯＳ環境に戻る第２の選択肢と、バックアップを取らないでシステムの電源を切る第３の選択肢と、及びバックアップを取らないでアプリケーションプログラムを終了し、ＯＳ環境に復帰する第４の選択肢である。デフォルトでは「１」が選択されている。これは従来の専用システムの終了方法と同じ効果を持つ。ユーザは、ＯＳ環境に戻りたいのであれば、バックアップの必要性に応じて「２」または「４」を選択してＯＫを指示すればよい。
【０００８】
図１は、実施例アプリケーションプログラムの終了時フローである。即ち、ユーザの終了指示があると、それに応じて図２に示すダイアログボックスを表示し、ユーザの選択を受け付ける（ステップＳ１）。そして、ユーザが「１」を選択したならば（同Ｓ２；選択１）、アプリケーションプログラムで取り扱ったデータの一部または全部をバックアップ処理し（同Ｓ６）、その後、ＯＳに対して電源の切断を要求して（同Ｓ８）から、アプリケーションプログラム自身を終了する（同Ｓ９）。これにより、データのバックアップを確保した上でシステムの使用を終了することができる。
【０００９】
また、ユーザが「２」を選択したならば（同Ｓ３；選択２）、アプリケーションプログラムで取り扱ったデータの一部または全部をバックアップ処理して（同Ｓ７）から、アプリケーションプログラム自身を終了する（同Ｓ９）。これにより、データのバックアップを確保した上でＯＳ環境に復帰できるので、他のアプリケーションを起動するなど、ＰＣを継続して利用することができる。
【００１０】
また、ユーザが「３」を選択したならば（同Ｓ４；選択３）、データのバックアップは行わないでＯＳに対して電源の切断を要求する（同Ｓ８）。そして、アプリケーションプログラム自身を終了する（同Ｓ９）。これにより、バックアップ処理のための時間を省略して、システムを直ちに終了することができる。
【００１１】
また、ユーザが「４」を選択したならば（同Ｓ５；選択４）、データのバックアップは行わないでアプリケーションプログラム自身を終了する（同Ｓ９）。これにより、直ちにＯＳ環境に戻ることができ、他のアプリケーションを起動するなど、ＰＣを継続して他の用途に利用することができるようになる。
【００１２】
【発明の効果】
本発明によれば、特定業務の専用システムであってもシステムの電源を切ることなく、データのバックアップを取ることができるようになる。従って、より頻繁にバックアップ作業を促すことができるようになって、データの安全性を高めることが期待できるようになる。また、バックアップを取った上でシステムの電源を切断するか、またはＯＳ環境に復帰するかが選べるようになるので、特定業務のアプリケーションプログラムを終了してから、他のアプリケーションのために機器を継続して利用することができるようになり、データの安全性を確保しながら使い勝手を向上させることができる。また、システムの電源を切る必要がなくなるのでバックアップ作業に対する心理的な抵抗が小さくなって、より多くの機会でバックアップが取られることが期待できる。
【図面の簡単な説明】
【図１】実施例の動作を示すフローチャートである。
【図２】実施例におけるダイアログボックスの表示例を示す図である。
【図１】
0004610041.tif 000002
【図２】
0004610041.tif 000003